(57)【要約】      （修正有）【課題】スリッパを装着した足の甲や足底を空気圧で適度に加圧することにより、或いは適度に加圧した状態でさらに足踏みすることにより、足底のアーチ部に滞った静脈の血液の流れを良くし、これにより、足部に血栓が生じるのを防ぐことのできる加圧スリッパを提供する。【解決手段】甲当て部２を備えたスリッパの足底部４に、スリッパを履いた足部を空気圧で適度に加圧する空気封入袋５を配置し、この空気封入袋にホース６ａを通じて空気を供給するポンプ６を設けた。【選択図】図３
0003203382.tif 000002
【実用新案登録請求の範囲】
【請求項１】
甲当て部を備えたスリッパの足底部に、スリッパを履いた足部を空気圧で適度に加圧する空気封入袋を配置し、この空気封入袋にホースを通じて空気を供給するポンプを設けたことを特徴とする加圧スリッパ。
【請求項２】
スリッパの甲当て部と足底部とに、スリッパを履いた足部を空気圧で適度に加圧する空気封入袋をそれぞれ配置し、この空気封入袋にホースを通じて空気を供給するポンプを設けたことを特徴とする加圧スリッパ。
【請求項３】
ポンプは手動ポンプからなる請求項１又は請求項２に記載の加圧スリッパ。
【請求項４】
足部の足底の土踏まず部分を押圧するアーチパットを足底部の空気封入袋の上側に設けた請求項１又は請求項２に記載の加圧スリッパ。
【請求項５】
スリッパの甲当て部と足底部とに配置された空気封入袋は連通する請求項２に記載の加圧スリッパ。
【考案の詳細な説明】
【技術分野】
【０００１】
この考案は、スリッパを履いた足の甲や足底の足部を空気圧で適度に加圧することにより、或いは適度に加圧した状態でさらに足踏みすることにより、足底のアーチ部に滞った静脈の血液の流れを良くする加圧スリッパに関するものである。
【背景技術】
【０００２】
最近、エコノミー症候群つまり、航空機内で長時間の着席により、静脈血栓症を起こすことが問題になっている。足部に血液が滞り、むくみ、それによって血液の凝固が始まり、凝固した血液の塊が肺や脳、心臓に流れて込んで、血管を詰まらせることがある。
この場合、一般的には弾性ストッキング装置や電源を用いた間欠的空気圧迫法、下肢の自動他動運動などが予防策として考えられる。
【先行技術文献】
【特許文献】
【０００３】
【特許文献１】特開２００５−１９２９６７
【考案の概要】
【考案が解決しようとする課題】
【０００４】
しかし、弾性ストッキング装置は飛行機内で装着するのが困難であるばかりでなく、ずっと装着しておくのも持続的圧迫で気持ちの良いものではない。また、電源のない機内で、空気圧迫法の大きなポンプ機械を使うのは困難である。機内で自分で運動療法をするのも疲れるし、機内で何度も大きな動きができず、運動が効果的とはいえない。
【０００５】
この考案は、上記のような課題に鑑み、その課題を解決すべく創案されたものであって、その目的とするところは、スリッパを履いた足の甲や足底の足部を空気圧で適度に加圧することにより、或いは適度に加圧した状態でさらに足踏みすることにより、足底のアーチ部に滞った静脈の血液の流れを良くし、これにより、足部に血栓が生じるのを防ぐことのできる加圧スリッパを提供することにある。
【課題を解決するための手段】
【０００６】
以上の課題を達成するために、請求項１の考案は、甲当て部を備えたスリッパの足底部に、スリッパを履いた足部を空気圧で適度に加圧する空気封入袋を配置し、この空気封入袋にホースを通じて空気を供給するポンプを設けた手段よりなるものである。
また、請求項２の考案は、スリッパの甲当て部と足底部とに、スリッパを履いた足部を空気圧で適度に加圧する空気封入袋をそれぞれ配置し、この空気封入袋にホースを通じて空気を供給するポンプを設けた手段よりなるものである。
また、請求項１、請求項２の好ましい態様として、ポンプは手動ポンプからなり、足部の足底の土踏まず部分を押圧するアーチパットを足底部の空気封入袋の上側に設けた。さらに、請求項２の好ましい態様として、スリッパの甲当て部と足底部とに配置された空気封入袋は連通する。
【考案の効果】
【０００７】
請求項１、請求項２の考案に係る加圧スリッパによれば、加圧スリッパを足部に履いた状態で、加圧スリッパの空気封入袋にポンプで空気を送り込むことにより、膨張した空気封入袋で足部の足の甲、足底を空気圧で適度に加圧して圧迫することで、静脈の血液の流れを良くし、これにより、足部に血栓が生じるのを防ぐことができる。安静時、この加圧スリッパを履くことにより、履かない場合に比べて、静脈血流速が４倍程も速くなることが実験から確認されている。
また、適度に加圧した状態でさらに足踏みすることにより、安静状態に比べて静脈の血液の流れを劇的に高めて、静脈の血流を改善させることができる。実験によれば、適度に加圧した状態で足踏みすると、加圧しない状態で足踏みする場合に比べ、静脈血流速が４倍程も速くなることが確認されている。
これに加えて請求項１の考案にあっては、空気封入袋がスリッパの足底部のみに配置されるため、その分、甲当て部の構造を簡単にでき、また、既存の甲当て部を備えたスリッパの足底部に空気封入袋を配置して使用することも可能となる。
また、前記の効果に加えて請求項２の考案にあっては、空気封入袋がスリッパの甲当て部と足底部とにそれぞれ配置されているので、足部の足の甲と足底の双方を空気封入袋の空気圧で同時に上下から加圧して圧迫することができ、より静脈の血液の流れを良くし、足部に血栓が生じるのを防ぐことができる。
また、請求項３の場合には、ポンプが手動ポンプからなるので、電源を必要とせず、安価で手軽で場所を選ばずに使用することが可能となる。例えば電源がとれない機内や外出先でも簡単に使用することができる。
また、請求項４の場合には、足部の足底の土踏まず部分を押圧するアーチパットを足底部の空気封入袋の上側に設けたので、アーチパットで足底の土踏まず部分を確実に押圧して、土踏まず部分に滞った静脈の血流の流れを良くすることができる。
また、請求項５の場合には、スリッパの甲当て部と足底部とに配置された空気封入袋は連通するので、甲当て部と足底部の空気封入袋の空気圧を同一に維持した状態で、足部を上下から加圧して圧迫することができ、静脈の血流の流れをさらに良好にすることができる。
【図面の簡単な説明】
【０００８】
【図１】この考案を実施するための形態−１を示す加圧スリッパの平面図である。
【図２】この考案を実施するための形態−１を示す加圧スリッパの側面図である
【図３】この考案を実施するための形態−１を示す加圧スリッパの表面展開図である
【図４】この考案を実施するための形態−１を示す加圧スリッパの裏面展開図である
【図５】この考案を実施するための形態−１を示す加圧スリッパの側断面図である
【図６】この考案を実施するための形態−１を示すアーチパットを備えた加圧スリッパの側断面図である
【図７】この考案を実施するための形態−１を示すアーチパットを備えた加圧スリッパを足に履いたときの側断面図である
【図８】この考案を実施するための形態−２を示す加圧スリッパの平面図である。
【図９】この考案を実施するための形態−２を示す加圧スリッパの側面図である
【図１０】この考案を実施するための形態−２を示す加圧スリッパの表面展開図である
【図１１】この考案を実施するための形態−２を示す加圧スリッパの裏面展開図である
【図１２】この考案を実施するための形態−２を示す加圧スリッパの側断面図である
【図１３】この考案を実施するための形態−２を示すアーチパットを備えた加圧スリッパの側断面図である
【図１４】この考案を実施するための形態−２を示すアーチパットを備えた加圧スリッパを足に履いたときの側断面図である
【図１５】足の静脈血流速（cm／ｓ）の実験結果図である
【考案を実施するための形態】
【０００９】
以下、図面に記載の考案を実施するための形態に基づいて、この考案をより具体的に説明する。
【００１０】
〔実施の形態−１〕
図１〜図７において、加圧スリッパ１は、スリッパを履いた足部ｃの足底ｂ（足裏）を空気圧で適度に加圧することにより、或いは適度に加圧した状態でさらに足踏みすることにより、足底ｂ（足裏）のアーチ部に滞った静脈の血液の流れを良くする特徴を備えている。加圧スリッパ１は、甲当て部２、足底部４、空気封入袋５、ポンプ６などから構成されている。
【００１１】
加圧スリッパ１は甲当て部２を備えている。甲当て部２は空気圧で足が浮き上がるときに足部ｃの足の甲ａを下向きに押さえて加圧する一方で、足部ｃの足底ｂ（足裏）が空気圧で適度に加圧されるようにする役割を果たす。図１のように加圧スリッパ１が右足用の場合には、甲当て部２はスリッパの足底部４の前半側の右側端にその一側端が連結されている。甲当て部２は展開した状態では、例えば横長な長方形状の形状をしていて、スリッパの足底部４の前半側の右側端から右側に延びている。一側端の反対側となる甲当て部２の他側端には、図面では２個のベルト２ａがそれぞれ取り付けられている。
【００１２】
ベルト２ａは甲当て部２を加圧スリッパ１の足底部４の前半側の上部側に一時的に形成させて足の甲ａを上側から押さえて一時的に固定させる。加圧スリッパ１の足底部４の前半側の上部側に一時的に甲当て部２を形成させるときに、ベルト２ａは甲当て部２の他側端付近で折り返されるが、折り返されて甲当て部２の表面と接する側のベルト２ａの表面は面ファスナー２ｂになっていて、甲当て部２の表面に付着する構造になっている。すなわち、面ファスナー２ｂは多数の微小な鉤状から構成されているが、甲当て部２の表面はこの微小な鉤状が引っ掛かるように、多数の微小なループ状で構成されている。
【００１３】
スリッパの足底部４の前半側の左側端側には、ベルト２ａの根本側を折り返させるためのベルト留め具２ｃがそれぞれ取り付けられている。スリッパの足底部４の前半側の左側端側には連結帯２ｄがそれぞれ取り付けられており、長方形枠の形状のベルト留め具２ｃはこの連結帯２ｄを介してスリッパの前半側の左側端側に取り付けられている。ベルト留め具２ｃは長方形枠から形成され、枠内をベルト２ａが挿通する構造になっている。ベルト２ａは、甲当て部２の他側端に連結された根本側がベルト留め具２ｃの長方形枠内部を挿通して折り返されることで、甲当て部２の他側端をスリッパの足底部４の前半側の左側端側に一時的に係止させる。
【００１４】
スリッパの足底部４には足の輪郭に近い平面形状を有する足底板４ａが配置されている。この足底板４ａは加圧スリッパ１を履いたとき地面などに触れる側である。足底板４ａの上面には空気封入袋５が配置されている。空気封入袋５は足底板４ａの平面形状に近似する平面形状を有している。足底板４ａとその上面の空気封入袋５とは上下に積層した状態でその外面側全体が足底カバー４ｂで被覆されている。
【００１５】
空気封入袋５は、空気が封入されることで膨らみ、足底カバー４ｂを介してその上に載っている足底ｂ（足裏）を空気圧で適度に加圧する機能を果たす。すなわち、膨らんだ空気封入袋５によって足底ｂ（足裏）全体を押し上げるが、足の甲ａ部分が前記の甲当て部２によって上側から押さえられているため、その反作用によって、足の甲ａと足底ｂ（足裏）の足部ｃは膨らんだ空気封入袋５の空気圧で適度に加圧されることになる。
【００１６】
ポンプ６は、ホース６ａを通じて上記空気封入袋５に空気を供給するもので、例えば手動ポンプが使用されているが、これに限定されることはなく電動ポンプでもよい。手動のポンプ６は例えば大きな卵型の形状をしており、ポンプ６を手で掴み、強く握って圧縮させ、これを弛めることでもと形状に復元させ、これを繰り返すことで、大気中から空気を吸引し、吸引した空気をホース６ａを通じて空気封入袋５に送り込むのである。弛めることで元の形状に簡単に復元できるように、ポンプ６は例えばゴム製のものが使用されている。ホース６ａはその一端側がポンプ６に接続され、他端側が空気封入袋５に接続されている。ホース６ａはその途中が甲当て部２の内部を通っている。
【００１７】
ポンプ６には、空気封入袋５に封入した空気を抜くための摘み６ｂが設けられており、空気封入袋５に空気を送り込み、又空気封入袋５の内部を加圧状態に維持する場合には摘み６ｂは閉められ、空気封入袋５の内部の空気を抜いて加圧状態を解消する場合には摘み６ｂは開けられる。
【００１８】
アーチパット７は、足底ｂ（足裏）の土踏まず部分を押圧するもので、上記空気封入袋５の上面の足底ｂ（足裏）の土踏まず部分に対応する箇所に設けられている。アーチパット７は空気封入袋４が膨張することで、上側に押し上げられて足底ｂ（足裏）の土踏まず部分を押圧する。アーチパット７は足底カバー４ｂの内側に設けられている。アーチパット７は必要に応じて設けられる。
【００１９】
次に、上記考案を実施するための形態−１の構成に基づく使用方法について以下説明する。
例えば右足用の加圧スリッパ１の甲当て部２が右横に展開している状態で、加圧スリッパ１の足底部４の上に右足を載せ、甲当て部２を足の甲ａの上側を跨ぎ、甲当て部２の他側端側をベルト留め具２ｃ側に近づける。
【００２０】
甲当て部２の他側端側に連結されているベルト２ａの先端をベルト留め具２ｃの枠内を挿通させて、ベルト２ａの根本側をベルト留め具２ｃまで引き寄せ、ベルト留め具２ｃを支点としてベルト２ａを折り曲げる。折り曲げたベルト２ａの面ファスナー２ｂの表面側を甲当て部２の表面側に密着させると、ベルト２ａの面ファスナー２ｂは甲当て部２の表面に付着し、甲当て部２の他側端側は足底部４のベルト留め具２ｃ側に係止され、甲当て部２は外れなくなる。
【００２１】
このようにして、足に加圧スリッパ１を装着した後、ポンプ６の摘み６ｂを閉め、大きめの卵形のポンプ６を手で掴み、ポンプ６を強く握りと動作とこれを弛め動作を交互に繰り返す。この動作により、大気中の空気は、手を弛めるとポンプ６が縮んだ状態から元の大きさに弾性復帰する際にポンプ６内に吸引される。ポンプ６内に吸引された空気は手で強く握ってポンプ６が圧縮されると、ホース６ａ内に圧送される。
【００２２】
ホース６ａ内に圧送された空気は、ホース６ａ内を流れてホース６ａの先端から空気封入袋５内に送り込まれる。このようにして空気封入袋５の内部はポンプ６によって供給される空気によって次第に膨張していく。膨張する空気封入袋５はその上側に載っている足底ｂ（足裏）を押圧して押し上げる。
【００２３】
このとき、足の甲ａは甲当て部２が接触しており、甲当て部２は空気封入袋５の空気圧で足が浮き上がるときに足の甲ａを下向きに押さえて加圧する一方で、足底ｂ（足裏）が空気圧で適度に加圧されるようにする役割を果たす。つまり膨張した空気封入袋５によって足底ｂ（足裏）全体を押し上げるが、足の甲ａ部分が前記の甲当て部２によって上側から押さえられているため、その反作用によって、足の甲ａと足底ｂ（足裏）は膨張した空気封入袋５の空気圧で適度に加圧されることになる。
【００２４】
膨張した空気封入袋５の空気圧を解消する場合には、ポンプ６の摘み６ｂを回して開くと、内部の空気はホース６ａを通じて外部に放出されて、上向きに膨張していた空気封入袋５は萎んで、足の甲ａと足底ｂ（足裏）の足部ｃの加圧状態は消滅し、加圧スリッパ１は普通のスリッパとなる。
【００２５】
〔実施の形態−２〕
図８〜図１４において、加圧スリッパ１１は、スリッパを履いた足の甲ａと足底ｂ（足裏）の足部ｃを空気圧で適度に加圧することにより、或いは適度に加圧した状態でさらに足踏みすることにより、足底ｂ（足裏）のアーチ部に滞った静脈の血液の流れを良くする特徴を備えている。加圧スリッパ１１は、甲当て部１２、空気封入袋１３、足底部１４、空気封入袋１５、ポンプ１６などから構成されている。
【００２６】
加圧スリッパ１１は甲当て部１２を備えている。甲当て部１２はその内部に設けられている空気封入袋１３の空気圧で足の甲ａを下向きに加圧する役割を果たす。図８のように加圧スリッパ１１が右足用の場合には、甲当て部１２はスリッパの足底部１４の前半側の右側端にその一側端が連結されている。甲当て部１２は展開した状態では、例えば横長な長方形状の形状をしていて、スリッパの足底部１４の前半側の右側端から右側に延びている。一側端の反対側となる甲当て部１２の他側端には、図面では２個のベルト１２ａがそれぞれ取り付けられている。
【００２７】
ベルト１２ａは甲当て部１２を加圧スリッパ１１の足底部１４の前半側の上部側に一時的に形成させて足の甲ａを上側から押さえて一時的に固定させる。加圧スリッパ１１の足底部１４の前半側の上部側に一時的に甲当て部１２を形成させるときに、ベルト１２ａは甲当て部１２の他側端付近で折り返されるが、折り返されて甲当て部１２の表面と接する側のベルト１２ａの表面は面ファスナー１２ｂになっていて、甲当て部１２の表面に付着する構造になっている。すなわち、面ファスナー１２ｂは多数の微小な鉤状から構成されているが、甲当て部１２の表面はこの微小な鉤状が引っ掛かるように、多数の微小なループ状で構成されている。
【００２８】
スリッパの足底部１４の前半側の左側端側には、ベルト１２ａの根本側を折り返させるためのベルト留め具１２ｃがそれぞれ取り付けられている。スリッパの足底部１４の前半側の左側端側には連結帯１２ｄがそれぞれ取り付けられており、長方形枠の形状のベルト留め具１２ｃはこの連結帯１２ｄを介してスリッパの前半側の左側端側に取り付けられている。ベルト留め具１２ｃは長方形枠から形成され、枠内をベルト１２ａが挿通する構造になっている。ベルト１２ａは、甲当て部１２の他側端に連結された根本側がベルト留め具１２ｃの長方形枠内部を挿通して折り返されることで、甲当て部１２の他側端をスリッパの足底部１４の前半側の左側端側に一時的に係止させる。
【００２９】
甲当て部１２の内部には空気封入袋１３が設けられている。空気封入袋１３は空気が封入されることで膨らみ、甲当て部１２の下側にくる足の甲ａを膨らんだ空気圧で下向きに押圧する。足の甲ａは甲当て部１２の内部の空気封入袋１３の空気圧で適度に加圧されることになる。
【００３０】
スリッパの足底部１４には足の輪郭に近い平面形状を有する足底板１４ａが配置されている。この足底板１４ａは加圧スリッパ１１を履いたとき地面などに触れる側である。足底板１４ａの上面には空気封入袋１５が配置されている。空気封入袋１５は足底板１４ａの平面形状に近似する平面形状を有している。足底板１４ａとその上面の空気封入袋１５とは上下に積層した状態でその外面側全体が足底カバー１４ｂで被覆されている。
【００３１】
空気封入袋１５は、空気が封入されることで膨らみ、足底カバー１４ｂを介してその上に載っている足底ｂ（足裏）を空気圧で適度に加圧する機能を果たす。すなわち、膨らんだ空気封入袋１５によって足底ｂ（足裏）全体を押し上げる。足の甲ａ部分が前記の甲当て部１２の内部の膨らんだ空気封入袋１３によって上側から押さえられているため、その反作用によって、足底ｂ（足裏）は膨らんだ空気封入袋１５の空気圧で適度に加圧されることになる。
【００３２】
ポンプ１６は、ホース１６ａを通じて上記空気封入袋１３及び空気封入袋１５に空気を供給するもので、例えば手動ポンプが使用されているが、これに限定されることはなく電動ポンプでもよい。手動のポンプ１６は例えば大きな卵型の形状をしており、ポンプ１６を手で掴み、強く握って圧縮させ、これを弛めることでもと形状に復元させ、これを繰り返すことで、大気中から空気を吸引し、吸引した空気をホース１６ａを通じて空気封入袋１３及び空気封入袋１５に送り込むのである。弛めることで元の形状に簡単に復元できるように、ポンプ１６は例えばゴム製のものが使用されている。ホース１６ａはその一端側がポンプ１６に接続され、他端側は分岐して空気封入袋１３と空気封入袋１５とそれぞれに接続されている。ホース１６ａはその途中が甲当て部１２の内部を通っている。
【００３３】
ポンプ１６には、空気封入袋１３及び空気封入袋１５に封入した空気を抜くための摘み１６ｂが設けられており、空気封入袋１３及び空気封入袋１５に空気を送り込み、又空気封入袋１３及び空気封入袋１５の内部を加圧状態に維持する場合には摘み１６ｂは閉められ、空気封入袋１３及び空気封入袋１５の内部の空気を抜いて加圧状態を解消する場合には摘み１６ｂは開けられる。
【００３４】
アーチパット１７は、足底ｂ（足裏）の土踏まず部分を押圧するもので、上記空気封入袋１５の上面の足底ｂ（足裏）の土踏まず部分に対応する箇所に設けられている。アーチパット１７は空気封入袋１５が膨張することで、上側に押し上げられて足底ｂ（足裏）の土踏まず部分を押圧する。アーチパット１７は足底カバー１４ｂの内側に設けられている。アーチパット１７は必要に応じて設けられる。
【００３５】
次に、上記考案を実施するための形態−２の構成に基づく使用方法について以下説明する。
例えば右足用の加圧スリッパ１１の甲当て部１２が右横に展開している状態で、加圧スリッパ１１の足底部１４の上に右足を載せ、甲当て部１２を足の甲ａの上側を跨ぎ、甲当て部１２の他側端側をベルト留め具１２ｃ側に近づける。
【００３６】
甲当て部１２の他側端側に連結されているベルト１２ａの先端をベルト留め具１２ｃの枠内を挿通させて、ベルト１２ａの根本側をベルト留め具１２ｃまで引き寄せ、ベルト留め具１２ｃを支点としてベルト１２ａを折り曲げる。折り曲げたベルト１２ａの面ファスナー１２ｂの表面側を甲当て部１２の表面側に密着させると、ベルト１２ａの面ファスナー１２ｂは甲当て部１２の表面に付着し、甲当て部１２の他側端側は足底部１４のベルト留め具１２ｃ側に係止され、甲当て部１２は外れなくなる。
【００３７】
このようにして、足に加圧スリッパ１１を装着した後、ポンプ１６の摘み１６ｂを閉め、大きめの卵形のポンプ１６を手で掴み、ポンプ１６を強く握りと動作とこれを弛め動作を交互に繰り返す。この動作により、大気中の空気は、手を弛めるとポンプ１６が縮んだ状態から元の大きさに弾性復帰する際にポンプ１６内に吸引される。ポンプ１６内に吸引された空気は手で強く握ってポンプ１６が圧縮されると、ホース１６ａ内に圧送される。
【００３８】
ホース１６ａ内に圧送された空気は、ホース１６ａ内を流れて分岐したそれぞれのホース１６ａの先端から空気封入袋１３及び空気封入袋１５内に送り込まれる。このようにして空気封入袋１３及び空気封入袋１５の内部はポンプ１６によって供給される空気によって次第に膨張していく。甲当て部１２内の膨張する空気封入袋１３はその下側の足の甲ａを下向きに押圧する。一方、膨張する空気封入袋１５はその上側に載っている足底ｂ（足裏）を押圧して押し上げる。
【００３９】
このとき、足の甲ａは甲当て部１２の内部の膨張する空気封入袋１３で下向きに押圧されており、甲当て部１２の内部の膨張する空気封入袋１３は足底部１４の空気封入袋１５の空気圧で足が浮き上がるときに足の甲ａを下向きに押さえて加圧する一方で、足底ｂ（足裏）が空気圧で適度に加圧されるようにする役割を果たす。つまり膨張した空気封入袋１５によって足底ｂ（足裏）全体を押し上げるが、足の甲ａ部分が前記の甲当て部１２の内部の膨張した空気封入袋１３によって上側から押さえられているため、互いの反作用によって、足の甲ａと足底ｂ（足裏）の足部ｃは膨張した空気封入袋１３及び空気封入袋１５の空気圧で適度に加圧されることになる。
【００４０】
膨張した空気封入袋１３及び空気封入袋１５の空気圧を解消する場合には、ポンプ１６の摘み１６ｂを回して開くと、内部の空気はホース１６ａを通じて外部に放出されて、下向きに膨張していた空気封入袋１３及び上向きに膨張していた空気封入袋１５は萎んで、足の甲ａと足底ｂ（足裏）の足部ｃの加圧状態は消滅し、加圧スリッパ１１は普通のスリッパとなる。
【実施例】
【００４１】
図１５に示す静脈血流速（cm／ｓ）の実験結果からわかるように、非着用安静時と加圧スリッパ着用加圧安静時の静脈血流速（cm／ｓ）を比較すると、３倍以上速くなっている。また、非着用足踏み時と加圧スリッパ着用加圧足踏み時（遅い）の静脈血流速（cm／ｓ）を比較すると２．５倍以上速く、さらに非着用足踏み時と加圧スリッパ着用加圧足踏み時（速い）の静脈血流速（cm／ｓ）を比較すると３倍以上速くなっている。なお、実験値は１０回の平均であり、各グラフでバラツキを示してある。また、アーチパット６が設けられている場合である。
【００４２】
なお、この考案は上記考案を実施するための形態に限定されるものではなく、この考案の精神を逸脱しない範囲で種々の改変をなし得ることは勿論である。
【符号の説明】
【００４３】
１    加圧スリッパ
２    甲当て部
２ａ  ベルト
２ｂ  面ファスナー
２ｃ  ベルト留め具
２ｄ  連結帯
４    足底部
４ａ  足底板
４ｂ  足底カバー
５    空気封入袋
６    ポンプ
６ａ  ホース
６ｂ  摘み
７    アーチパット
１１    加圧スリッパ
１２    甲当て部
１２ａ  ベルト
１２ｂ  面ファスナー
１２ｃ  ベルト留め具
１２ｄ  連結帯
１３    空気封入袋
１４    足底部
１４ａ  足底板
１４ｂ  足底カバー
１５    空気封入袋
１６    ポンプ
１６ａ  ホース
１６ｂ  摘み
１７    アーチパット
ａ    足の甲
ｂ    足底（足裏）
ｃ    足部
【図１】
0003203382.tif 000003
【図２】
0003203382.tif 000004
【図３】
0003203382.tif 000005
【図４】
0003203382.tif 000006
【図５】
0003203382.tif 000007
【図６】
0003203382.tif 000008
【図７】
0003203382.tif 000009
【図８】
0003203382.tif 000010
【図９】
0003203382.tif 000011
【図１０】
0003203382.tif 000012
【図１１】
0003203382.tif 000013
【図１２】
0003203382.tif 000014
【図１３】
0003203382.tif 000015
【図１４】
0003203382.tif 000016
【図１５】
0003203382.tif 000017